(57)【特許請求の範囲】
【請求項１】
傾斜面を有する庇本体と、
前記傾斜面の下端縁に沿って設けられた樋と、
前記樋の下側に設けられた水切り部と、を備える庇であって、
前記水切り部の上面を前記樋の底壁の下面に当接させ、
前記水切り部の端縁を、前記底壁の端縁よりも外側に位置させたことを特徴とする庇。
【請求項２】
前記底壁の端部の上面に円弧面を設けたことを特徴とする請求項１に記載の庇。
【請求項３】
前記庇本体の縁部に沿って断面Ｌ字状の框部材が配置されており、
前記樋が、前記框部材の水平部に載置されており、
当該水平部が前記水切り部として機能することを特徴とする請求項１又は請求項２に記載の庇。
【発明の詳細な説明】
【技術分野】
【０００１】
本発明は、庇に関する。
【背景技術】
【０００２】
建物に付設される庇であって、傾斜面を有する庇本体と、傾斜面に滴下した雨水の排水路になる樋とを備える庇が特許文献１に開示されている。
【特許文献１】特開２００６−３０７４２５号公報
【発明の開示】
【発明が解決しようとする課題】
【０００３】
特許文献１の庇においては、樋が水平に配置されていることから、樋への雨水の流れ込みが止むと、樋内において水の流れが滞り、雨水に混入していた土埃やチリなどが堆積し易くなる。このような現象が樋の端部（開放端）で発生すると、水の流れが堰き止められ、樋の全長に亘って水の流れが滞ることになるので、腐食が発生し易くなるとともに、樋本来の機能が阻害される虞がある。
【０００４】
このような観点から、本発明は、樋を備える庇であって、樋の端部に土埃等が堆積し難い庇を提供することを課題とする。
【課題を解決するための手段】
【０００５】
本願発明者らは、鋭意研究を行った結果、樋の下側に水切り部を設けるとともに、水切り部の端縁を樋の底壁の端縁よりも外側に位置させると、樋の端部における水の流れがスムーズになることを見出し、本発明を創案するに至った。すなわち、本発明は、傾斜面を有する庇本体と、前記傾斜面の下端縁に沿って設けられた樋と、前記樋の下側に設けられた水切り部と、を備える庇であって、前記水切り部の上面を前記樋の底壁の下面に当接させ、前記水切り部の端縁を、前記底壁の端縁よりも外側に位置させたことを特徴とする。
【０００６】
このようにすると、樋の端部における水の流れがスムーズになるので、樋への雨水の流れ込みが止んだ後においても、樋の端部に水が残留し難くなり、したがって、樋の端部に土埃等が堆積し難くなる。
【０００７】
本発明においては、前記底壁の端部の上面を円弧面としてもよい。このようにすると、樋の端部における水の流れがより一層スムーズになるので、土埃等がより一層堆積し難くなる。
【０００８】
前記庇本体の縁部に沿って断面Ｌ字状の框部材が配置されている場合には、前記框部材の水平部に前記樋を載置し、前記水平部を前記水切り部として機能させることが望ましい。このようにすると、樋や水切り部の存在が目立ち難くなるので、すっきりとした外観の庇を得ることが可能となる。
【発明の効果】
【０００９】
本発明に係る庇によると、樋の端部に土埃等が堆積し難くなり、ひいては、樋の機能を良好に保つことが可能となる。
【発明を実施するための最良の形態】
【００１０】
以下、本発明を実施するための最良の形態を、添付した図面を参照しつつ詳細に説明する。
【００１１】
本実施形態に係る庇１は、図１に示すように、玄関や窓等の開口部の上方に付設されるものであって、傾斜面１ａを有する庇本体１０と、この庇本体１０の縁部に沿って配置された框部材２０と、傾斜面１ａの下端縁（本実施形態では、庇本体１０の前端縁）に沿って設けられた樋３０と、を備えている。
【００１２】
なお、本実施形態では、ブラケットＴ１，Ｔ２に支持された庇１を例示するが、庇１の支持形式等を限定する趣旨ではない。
【００１３】
庇本体１０は、骨組みとなる枠体１１と、枠体１１を挟んで上下に対向して配置された二枚の面材１２（図１では上面側の面材１２のみを図示）と、二枚の面材１２，１２の間に配置されたコア材１３とを備えて構成されている。なお、本実施形態の庇本体１０は、図１に示す白抜き矢印の方向が流れ方向となるように、その全体が建物側（後端側）から前端側に向って下向きに傾斜している。
【００１４】
枠体１１は、アルミニウム合金製の中空押出形材を組み合わせ形成されている。押出形材同士は、溶接等によって互いに接合されている。
【００１５】
面材１２は、アルミニウム合金製の圧延材からなり、ろう材あるいは接着剤を介して枠体１１およびコア材１３に接合されている。
【００１６】
コア材１３は、複数の筒状体１３ａ，１３ａ，…を蜂の巣状に集合させたものであり、隣接する筒状体１３ａ，１３ａの側面同士がろう材あるいは接着剤を介して接合されている。なお、図１では、コア材１３の一部のみを図示しているが、コア材１３は、枠体１１で囲まれた領域の全体に配置されている。
【００１７】
なお、庇本体１０は、取付部材１４を利用して下側のブラケットＴ１に接続されるとともに、接続部材１５およびロッド１６を利用して上側のブラケットＴ２に接続されている。取付部材１４は、横Ｌ字状を呈するアルミニウム合金製の押出形材からなり、庇本体１０の後端部（建物側の端部）の上面に固着されている。接続部材１５は、逆Ｔ字状を呈するアルミニウム合金製の押出形材からなり、庇本体１０の前後方向の中央部の上面に固着されている。また、ロッド１６は、接続部材１５とブラケットＴ２との間に介設される長さ調節可能な棒状部材である。
【００１８】
框部材２０は、庇本体１０の縁部のうち、側端部および前端部に配置されている。図２の（ｂ）に示すように、本実施形態の框部材２０は、断面横Ｌ字状を呈するアルミニウム合金製の押出形材からなり、縦部２１と、この縦部２１の下端縁から張り出す水平部２２とを備えている。
【００１９】
縦部２１は、庇本体１０の小口を覆い隠す部位であり、ビス止め等の手段により、庇本体１０の小口に固着されている。庇本体１０の前端部に位置する縦部２１の上端は、庇本体１０の傾斜面１ａの下端縁へ流れてきた雨水がスムーズに樋３０へ流れ込めるように、傾斜面１ａと一致させているが（図２の（ｂ）参照）、庇本体１０の側端部に位置する縦部２１の上端は、庇本体１０の側端部から雨水が滴り落ちないように、傾斜面１ａよりも上方に突出させている（図２の（ｃ）参照）。なお、本実施形態では、庇本体１０の前端部に位置する縦部２１の上端を庇本体１０の傾斜面１ａと面一にしているが、傾斜面１ａよりも下側に位置させても差し支えない。
【００２０】
水平部２２は、図２の（ｂ）に示すように、庇本体１０の傾斜面１ａよりも下側に位置している。本実施形態では、水平部２２の下面が、庇本体１０の下面と面一になっている。水平部２２のうち、庇本体１０の前端部の角部に位置する部位は、後記する水切り部２ａ（図２の（ａ）および（ｃ）参照）として機能する。
【００２１】
樋３０は、傾斜面１ａを流下してきた雨水が框部材２０の前端縁から滴り落ちないようにするために配置されたものであり、框部材２０の水平部２２に載置されていて、框部材２０の縦部２１を貫通する図示せぬビス等の固着具によって庇本体１０に固着されている。樋３０の形態に制限はないが、本実施形態のものは、上面が開口した断面溝形のアルミニウム合金製の押出形材からなり、底壁３１と、底壁３１の両側縁から立ち上がる一対の側壁３２，３２とを備えている。底壁３１は、框部材２０の水平部２２の上面に密着しており、側壁３２，３２のうち、庇本体１０側に位置する側壁３２は、框部材２０の縦部２１に密着している。なお、本実施形態では、側壁３２の上端は、框部材２０の縦部２１の上端よりも下側に位置させているが、縦部２１の上端と一致させてもよい。
【００２２】
図２の（ｃ）および（ｄ）を参照して、水切り部２ａと樋３０とにより形成される水切り構造をより詳細に説明する。
【００２３】
水切り部２ａは、前記したように、框部材２０の水平部２２からなる。すなわち、水切り部２ａは、樋３０の下側に設けられており、水切り部２ａの上面は、樋３０の底壁３１の下面に当接している。また、水切り部２ａの端縁は、樋３０の底壁３１の長手方向（押出方向）の端縁よりも外側に位置している。水切り部２ａの突出量ｄの大きさに制限はないが、４ｍｍを超えると、樋３０の端部から流出した水が左右に広がってしまうおそれがあるので、１〜４ｍｍとすることが望ましく、より好適には、３ｍｍとすることが望ましい。
【００２４】
図２の（ｄ）に示すように、底壁３１の端部の上面は、水切り部２ａに向けて傾斜させている。すなわち、底壁３１の長手方向の端部には、水きり部２ａに向って傾斜する傾斜面３１ａが形成されている。傾斜面３１ａは、上に凸の円弧面である。円弧面の半径は、底壁３１の肉厚ｔの０．８〜１．２倍、より好ましくは、０．９〜１．１倍とすることが望ましい。
【００２５】
以上説明した庇１によれば、樋３０の長手方向に勾配が設けられていない場合であっても、樋３０の端部における水の流れがスムーズになるので、樋３０への雨水の流れ込みが止んだ後においても、樋３０の端部に水が残留し難くなり、したがって、樋３０の端部に土埃等が堆積し難くなる。
【００２６】
また、本実施形態の如く、樋３０の底壁３１の端部に傾斜面３１ａを設けると、樋３０の端部における水の流れがより一層スムーズになるので、土埃等がより一層堆積し難くなる。
【００２７】
また、本実施形態では、樋３０の下側に框部材２０の水平部２２を位置させるとともに、水平部２２の一部を水切り部２ａとして機能させているので、樋３０や水切り部２ａの存在が目立ち難くなり、ひいては、庇１の外観がすっきりとしたものになる。
【００２８】
なお、本実施形態では、傾斜面３１ａを上に凸の円弧面とした場合を例示したが、傾斜面３１の形態を限定する趣旨ではない。図示は省略するが、下に凸の円弧面としてもよいし、円弧面以外の曲面や平面としても差し支えない。また、傾斜面３１ａを形成せずに、底壁３１の端部を垂直に切り落としてもよいし、階段状に成形してもよい。
【００２９】
また、本実施形態では、樋３０の端部の全体を水切り部２ａの端縁から内側にオフセットさせているが、図３の（ａ）および（ｂ）に示すように、底壁３１の端縁を切り欠くことで、水切り部２ａの端縁を底壁３１の端縁よりも外側に位置させてもよい。すなわち、樋３０のうち、側壁３２，３２については、その端縁を水切り部２ａの端縁と一致させてもよい。
【００３０】
また、本実施形態では、框部材２０の水平部２２の一部を水切り部２ａとして機能させた場合を例示したが、図４に示すように、框部材２０とは別の部材で水切り部２ａを構成してもよい。このようにすると、框部材２０の構成に関わらず、水切り部２ａを形成することができるし、框部材２０を省略することも可能である。
【実施例】
【００３１】
本願発明の効果を確認すべく実験を行った。実験では、樋を水平に設置したうえで、樋の端部から水が流出するまで樋に水を供給し、水の供給を停止した後、樋の端部からの水の流出が止まった段階で、樋内に残留している水量を計測した。表１に残留水量（ｍｌ）を示す。
【００３２】
なお、表１中、「実施例」は、水切り部の端縁を樋の底壁の端縁から突出させた場合（図２の（ｃ）参照）の実験結果であり、比較例１は、樋の底壁の端縁を水切り部の端縁と一致させた場合の実験結果であり、比較例２は、樋の底壁の端縁を水切り部の端縁から突出させた場合の実験結果である。また、表１中、「垂直」とは、樋の底壁の端縁を垂直に切断した場合（傾斜面を形成しない場合）の実験結果であり、「傾斜」とは、樋の底壁の端縁に、４５（deg）で傾斜する平面を形成した場合の実験結果であり、「Ｒ」とは、樋の底壁の端縁に、底壁の厚さ寸法（１．５ｍｍ）と同じ大きさの半径（＝１．５ｍｍ）を有する上に凸の円弧面（図２の（ｄ）に示すものと同等の円弧面）を形成した場合の実験結果である。
【００３３】
【表１】
0004368927.tif 000002
【００３４】
表１に示すように、比較例１，２に係る庇では、残留水量が１８０．５〜２５９．０（ｍｌ）であるのに対し、実施例に係る庇では、樋の端部形状にかかわらず、残留水量が１００（ｍｌ）以下となっており、水切り部の端縁を樋の底壁の端縁から突出させた場合の効果が実証された。特に、実施例の各ケースのうち、樋の底壁の端縁に円弧面（曲面）を形成したケースにおいては、水切り部の端縁を樋の底壁の端縁から突出させたことと相俟って、残留水量が５０（ｍｌ）以下となった。
【００３５】
なお、水切り部の突出量ｄを１〜４ｍｍの間で変化させて実験を行ったが、残留水量の多少に優位な差は見られなかった。
【００３６】
また、樋の内表面にアクリル塗料を塗布した場合と、親水性塗料を塗布した場合とを比較したところ、親水性塗料を塗布した場合の残留水量が、アクリル塗料を塗布した場合の３／５程度になることが確認された。樋に施す表面処理の種類を限定する趣旨ではないが、樋の表面には、親水性塗料を塗布することが望ましい。
【図面の簡単な説明】
【００３７】
【図１】本発明の実施形態に係る庇を建物に取り付けた状態を示す斜視図である。
【図２】（ａ）は図１のＡ部を拡大した平面図、（ｂ）は（ａ）のＸ−Ｘ線断面図、（ｃ）は（ａ）のＹ−Ｙ線断面図、（ｄ）は（ｃ）のＤ部を拡大した図である。
【図３】本発明の実施形態に係る庇の変形例を示す図であって、（ａ）は拡大平面図、（ｂ）は（ａ）のＹ−Ｙ線断面図である。
【図４】本発明の実施形態に係る庇の変形例を示す図であって、（ａ）は拡大平面図、（ｂ）は（ａ）のＹ−Ｙ線断面図である。
【符号の説明】
【００３８】
１      庇
１０    庇本体
１ａ    傾斜面
２０    框部材
２１    水平部
２ａ    水切り部
３０    樋
３１    底壁
【図１】
0004368927.tif 000003
【図２】
0004368927.tif 000004
【図３】
0004368927.tif 000005
【図４】
0004368927.tif 000006